(57)【要約】【課題】鋳抜きピンとダイスの孔との隙間から水がキャビティ内に染み出したり、吸引されることを防止するダイカスト金型及びダイカスト法の提供。【解決手段】ダイカスト金型１は、ホルダー３ａと、該ホルダー３ａに収容されてキャビティを画成するダイス３ｂと、該ダイス３ｂに形成された孔８に挿入されて該キャビティ５に突出する鋳抜きピン７とを有している。鋳抜きピン７は、鋳抜きピン７の後端に当接するように孔８に螺着された第一の止めねじ１１と該第一の止めねじ１１の後端に当接するように孔８に螺着された第二の止めねじ１２とによりダイス３ｂに固定されている。孔８の基端部にはテーパねじ１３が螺着されている。【選択図】図２
2010005644.tif 000002
【特許請求の範囲】
【請求項１】
ホルダーと、該ホルダーに収容されてキャビティを画成するダイスと、該ダイスに形成された孔に挿入されて該キャビティに突出する鋳抜きピンとを有するダイカスト金型において、該鋳抜きピンの後端に当接するように該孔に螺着された第一の止めねじと該第一の止めねじの後端に当接するように該孔に螺着された第二の止めねじとにより該鋳抜きピンを該ダイスに固定すると共に、該孔の基端部にテーパねじを螺着したことを特徴とするダイカスト金型。
【請求項２】
請求項１のダイカスト金型を用いてダイカストを行うことを特徴とするダイカスト法。
【発明の詳細な説明】
【技術分野】
【０００１】
本発明はダイカスト金型及びダイカスト法に関する。
【背景技術】
【０００２】
ダイカスト金型は、ダイカスト品に穴部を成形する為の鋳抜きピンを備える場合がある。鋳抜きピンは、ダイカスト金型を構成するダイスに形成された孔に挿入されてキャビティ内に突出する。鋳抜きピン本体の基端部には鋳抜きピン本体より大径の係止段部が形成されており、その係止段部がダイスの孔の底部に形成された係止凹部に係止される。ダイカスト金型はホルダーに対してダイスが入れ子構造になっており、鋳抜きピンの係止段部をホルダーの内底面と係止凹部で挟持状に当接させることで、鋳抜きピンがダイスの孔に軸方向に動くことなく定置状に設置される。（特許文献１参照）
【０００３】
ダイカスト金型においては、ダイカスト金型の外冷や内冷に用いられる水がホルダーと該ホルダーに収容されるダイスとの隙間に侵入し、さらには鋳抜きピンと該鋳抜きピンが挿入されるダイスの孔との隙間に浸入する場合がある。鋳抜きピンとダイスの孔との隙間に浸入した水は、重力によってキャビティ内に染み出したり、充填されたアルミニウム合金等の溶湯が凝固する際の収縮に伴い発生する負圧やキャビティ内を真空排気した場合のキャビティ内の負圧によってキャビティ内に吸引されることになる。この様に鋳抜きピンとダイスの孔との隙間から水がキャビティ内に染み出したり、吸引されるとダイカスト品の品質に悪影響を与えるという問題が生じる。
【０００４】
【特許文献１】特開２００５−３４９４１１号公報
【発明の開示】
【発明が解決しようとする課題】
【０００５】
本発明は上記従来の問題に鑑みてなされ、鋳抜きピンとダイスの孔との隙間から水がキャビティ内に染み出したり、吸引されることを防止するダイカスト金型及びダイカスト法を提供することを目的とする。
【課題を解決するための手段】
【０００６】
上記課題を解決するため、本発明は、ホルダーと、該ホルダーに収容されてキャビティを画成するダイスと、該ダイスに形成された孔に挿入されて該キャビティに突出する鋳抜きピンとを有するダイカスト金型において、該鋳抜きピンの後端に当接するように該孔に螺着された第一の止めねじと該第一の止めねじの後端に当接するように該孔に螺着された第二の止めねじとにより該鋳抜きピンを該ダイスに固定すると共に、該孔の基端部にテーパねじを螺着したことを特徴とするダイカスト金型。
【０００７】
また、本発明は、上記ダイカスト金型を用いてダイカストするダイカスト法を提供している。
【発明の効果】
【０００８】
本発明の請求項１のダイカスト金型及び請求項２のダイカスト法によれば、鋳抜きピンの後端に当接するように孔に螺着された第一の止めねじと第一の止めねじの後端に当接するように孔に螺着された第二の止めねじとにより鋳抜きピンをダイスに固定すると共に、孔の基端部にテーパねじを螺着したので、鋳抜きピンとダイスの孔との隙間から水がキャビティ内に染み出したり、吸引されることを防止することができる。
【発明を実施するための最良の形態】
【０００９】
以下、本発明の実施の形態に係るダイカスト金型について図１及び図２に基づいて説明する。図１に示されるように、ダイカスト金型１は、固定ホルダー２ａと該固定ホルダー２ａに収容された固定ダイス２ｂとからなる固定型２と、可動ホルダー３ａと該可動ホルダー３ａに収容された可動ダイス３ｂとからなる可動型３と、スリーブ４とを有している。可動型３は固定型２に対して離間・接近するように図１の左右方向へ移動可能である。可動型３の可動ダイス３ｂは固定型２の固定ダイス２ｂと当接した際に固定ダイス２ｂと共にダイカスト品を成形する為のキャビティ５を画成する。
【００１０】
スリーブ４は略筒状をなしており、その軸方向は図１の左右方向へ指向して固定型２に取り付けられ、可動型３に取り付けられた分流子６に対向している。スリーブ４には、スリーブ４の内部と外部とを連通する貫通孔からなる給湯孔４ａが形成されており、給湯口４ａから溶湯Ｍをスリーブ４内部へ給湯可能である。また、スリーブ４内にはプランジャチップ１４が設けられている。プランジャチップ１４はスリーブ４内を摺動可能であり、給湯口４ａからスリーブ内へ溶湯Ｍが給湯された後に、プランジャチップ１４を前進させることにより、即ち、図１の左方向に摺動させることにより、スリーブ４内の溶湯Ｍをキャビティ５内に充填可能である。
【００１１】
可動型３にはダイカスト品に穴部を形成する為の鋳抜きピン７が配設されている。図２に示すように、鋳抜きピン７は、円柱状の係止段部７ａと、該係止段部７ａよりも小径な本体部７ｂと、キャビティ５内に突出してダイカスト品に孔部を成形する先細りのテーパ部７ｃとにより構成されている。
【００１２】
可動型３の可動ダイス３ｂには鋳抜きピン７が挿入される孔８が形成されている。孔８は、鋳抜きピン７の係止段部７ａが挿入される大径部８ａを有し、この大径部８ａの略中央から基端部側（図１の左方向）に向かう所定範囲には、後述の第一の止めねじ１１及び第二の止めねじ１２を螺着する為のねじ９が設けられている。また、大径部８ａの基端部には後述のテーパねじ１３を螺着する為のテーパねじ１０が設けられている。また、孔８はキャビティ５側に大径部８ａよりも径が小さい小径部８ｂを有している。この小径部８ｂは、鋳抜きピン７が孔８に挿入された際に鋳抜きピン７の本体部７ｂを収容する。孔８の大径部８ａと小径部８ｂとは段部８ｃを介して連続している。
【００１３】
鋳抜きピン７は、可動ダイス３ｂの背面側から孔８に挿入され、係止段部７ａが孔８の段部８ｃに当接している。孔８の大径部８ａに切られたねじ９には第一の止めねじ１１が螺着されており、この第一の止めねじ１１が鋳抜きピン７の係止段部７ａの後端に当接することにより、係止段部７ａを孔８の段部８ｃと共に挟持している。さらに、孔８の大径部８ａに切られたねじ９には第二の止めねじ１２が螺着されており、第一の止めねじ１１の後端と当接することにより、第一の止めねじ１１が緩むのを防止している。従って、鋳抜きピン７は第一の止めねじ１１と第二の止めじ１２によって、可動ダイス３ｂに移動不能に固定されている。尚、鋳抜きピン７の係止段部７ａの後端は、本発明の鋳抜きピンの後端に相当する。
【００１４】
孔８の大径部８ａの基端部に切られたテーパねじ１０には、テーパねじ１３が螺着されている。テーパねじ１３が孔８の大径部８ａの基端部に螺着されて孔８内に収容された状態において、第二の止めねじ１２とテーパねじ１３との間には空間が存在するようになっている。孔８の基端部に螺着されたテーパねじ１３は、可動ホルダー３ａと可動ダイス３ｂとの隙間に浸入した水が孔８内に浸入することを阻止する。従って、鋳抜きピン７と孔８との隙間から水がキャビティ内に染み出したり、吸引されることを防止することができる。尚、孔８の大径部８ａの基端部は、本発明の孔の基端部に相当する。
【００１５】
上記構成のダイカスト金型１を用いてダイカスト品をダイカストする方法としては、先ず、固定型２に対して可動型３を移動させることにより、図１に示されるように固定ダイス２ｂに可動ダイス３ｂを当接させてキャビティ５を画成し、スリーブ４内のアルミニウム合金等の溶湯Ｍをプランジャチップ１４によりキャビティ５内に射出・充填する。
【００１６】
キャビティ５内の溶湯Ｍが凝固した後に可動型３を固定型２から離間させ、可動型３に設けられている図示せぬ押出ピンによりダイカスト品を押し出して、ダイカスト品を取り出す。ダイカスト品を取り出した後、ダイカスト金型１に外部冷却と離型剤塗布を施す。以降、この工程を繰り返してダイカスト法を行う。
【００１７】
本発明のダイカスト金型及びダイカスト法は、上述した実施の形態に限定されず、特許請求の範囲で記載した範囲で種々の変形や改良が可能である。例えば、本実施の形態においては、鋳抜きピン７は可動ダイス３ｂに固定されていたが、鋳抜きピンが固定されるダイスは固定ダイスでもよい。また、ダイカスト金型が中子ホルダーと中子ダイスを備え、可動ダイスと固定ダイスと中子ダイスとによってキャビティが画成される場合には、鋳抜きピンが固定されるダイスは中子ダイスでもよい。鋳抜きピンが鉛直下方を向くように中子ダイスに固定された場合には、鋳抜きピンと中子ダイスの孔との隙間から重力により水がキャビティ内に染み出しやすいが、本発明によればこの水の染み出しを防ぐことができる。
【００１８】
また、本実施の形態においては、固定型２に可動型３を当接させてキャビティ５を画成した後にキャビティ５内の真空排気を行っていないが、キャビティの真空排気を行ってもよい。キャビティ内を真空排気した場合には、キャビティ内の負圧によって水が鋳抜きピンとダイスの孔との隙間を通じてキャビティ内に吸引されるが、本発明によればこの水の吸引を防ぐことができる。
【図面の簡単な説明】
【００１９】
【図１】本発明の実施の形態に係るダイカスト金型の正面断面図。
【図２】本発明の実施の形態に係るダイカスト金型の要部断面図。
【符号の説明】
【００２０】
１    ダイカスト金型
２    固定型
２ａ  固定ホルダー
２ｂ  固定ダイス
３    可動型
３ａ  可動ホルダー
３ｂ  可動ダイス
５    キャビティ
７    鋳抜きピン
８    孔
１１  第一の止めねじ
１２  第二の止めねじ
１３  テーパねじ
【図１】
2010005644.tif 000003
【図２】
2010005644.tif 000004